(57)【要約】【課題】容器ホルダーと物入れ部とが併設されているコンソールにおいて、コンソールの大型化を避けつつ、物入れ部を本来の物入れ用またはドリンクホルダー用へと変更してコンソールの使用における多様化を図る。【解決手段】コンソール１は、容器ホルダー１０の上面側あるいは物入れ部２０の上面側に交互にスライド操作することが可能なスライドプレート４０，５０を備えており、各スライドプレートは容器ホルダーの開口部１０ｂと同形状の開口部４０ｂ，５０ｂを有している。そして、コンソール１は、各スライドプレートを容器ホルダーの上面側にスライドさせた格納状態では、各スライドプレートの開口部と容器ホルダーの開口部とが相互に重合して一致し、各スライドプレートを物入れ部の上面側にスライドさせた使用状態では、各スライドプレートの開口部が物入れ部に入れる容器の胴部を外側から支持可能な位置となるように構成されている。【選択図】図１１
2015009665.tif 000002
【特許請求の範囲】
【請求項１】
容器の胴部を外側から支持するための開口部が上面に設けられた容器ホルダーと、上面を開放した物入れ部とが互いに隣接して配置されているコンソールであって、
容器ホルダーの上面側あるいは物入れ部の上面側に交互にスライド操作することが可能なスライドプレートを備え、このスライドプレートが容器ホルダーの開口部と同形状の開口部を有し、
スライドプレートを容器ホルダーの上面側にスライドさせた格納状態では、スライドプレートの開口部と容器ホルダーの開口部とが相互に重合して一致しており、
スライドプレートを格納状態から物入れ部の上面側にスライドさせた使用状態では、スライドプレートの開口部が物入れ部に入れる容器の胴部を外側から支持可能な位置となるように構成されたコンソール。
【請求項２】
請求項１に記載のコンソールであって、
スライドプレートが複数枚のプレートからなり、物入れ部は、その開放された上面側においてプレートを個々に受入れることが可能な複数のスペースを有し、
スライドプレートの格納状態では、各プレートが容器ホルダーの上面側で互いに重なり合っており、
スライドプレートの使用状態では、各プレートを重なり合ったまま物入れ部の一つのスペースにスライドさせる態様と、この態様から一枚のプレートを残し、他のプレートを物入れ部の別のスペースにスライドさせる態様とが設定されているコンソール。
【発明の詳細な説明】
【技術分野】
【０００１】
本発明は、コンソールに関する。詳しくは、飲料容器を入れる容器ホルダーと、比較的大きな物を入れる物入れ部とが互いに隣接して配置されているコンソールに関する。
【背景技術】
【０００２】
この種のコンソールにおいては、その一例が特許文献１に開示されている。このコンソールでは、容器ホルダーと物入れ部とが互いに隣接して配置されている。容器ホルダーは、容器の胴部を支持するための円形に開口部を備え、物入れ部はその上面が大きく開放されている。
【先行技術文献】
【特許文献】
【０００３】
【特許文献１】特開２００３−２６７１４１号公報
【発明の概要】
【発明が解決しようとする課題】
【０００４】
特許文献１のコンソールにおいて、物入れ部を本来の用途以外の目的で使用するのは不向きである。例えば、物入れ部をドリンクホルダー用として使用する場合は、容器が倒れないように支持することができる機能部材を物入れ部に設置する必要がある。一方で、物入れ部を本来の物入れ用へと戻すときには当然、その機能部材を物入れ部から取り外すこととなり、その機能部材の格納スペースが必要となる。この格納スペースをコンソール内に確保すると、その分コンソールが大型になる。
【０００５】
本発明は、上記のような問題点を解決しようとするものであって、その目的は、容器ホルダーと物入れ部とが併設されているコンソールにおいて、コンソールの大型化を避けつつ、物入れ部を本来の物入れ用またはドリンクホルダー用へと変更してコンソールの使用における多様化を図ることである。
【課題を解決するための手段】
【０００６】
本発明は、上記の目的を達成するためのもので、以下のように構成されている。
容器の胴部を外側から支持するための開口部が上面に設けられた容器ホルダーと、上面を開放した物入れ部とが互いに隣接して配置されているコンソールであって、容器ホルダーの上面側あるいは物入れ部の上面側に交互にスライド操作することが可能なスライドプレートを備えている。このスライドプレートは容器ホルダーの開口部と同形状の開口部を有している。
スライドプレートを容器ホルダーの上面側にスライドさせた格納状態では、スライドプレートの開口部と容器ホルダーの開口部とが相互に重合して一致しており、スライドプレートを格納状態から物入れ部の上面側にスライドさせた使用状態では、スライドプレートの開口部が物入れ部に入れる容器の胴部を外側から支持可能な位置となるように構成されている。
【０００７】
さらに好ましくは、つぎのような構成とすることである。
スライドプレートが複数枚のプレートからなり、物入れ部は、その開放された上面側においてプレートを個々に受入れることが可能な複数のスペースを有している。
スライドプレートの格納状態では、各プレートが容器ホルダーの上面側で互いに重なり合っている。そして、スライドプレートの使用状態では、各プレートを重なり合ったまま物入れ部の一つのスペースにスライドさせる態様と、この態様から一枚のプレートを残し、他のプレートを物入れ部の別のスペースにスライドさせる態様とが設定されている。
【発明の効果】
【０００８】
本発明は、スライドプレートを容器ホルダーの上面側にスライドさせた格納状態においても、この容器ホルダーの機能を維持し得る構成としたことにより、スライドプレートを格納するための専用スペースを確保する必要がなく、コンソールの大型化を回避することができる。そして、スライドプレートを物入れ部の上面側にスライドさせた使用状態では、この物入れ部に容器ホルダーと同様の機能をもたせることにより、該物入れ部を本来の物入れ用またはドリンクホルダー用へと自在に変更でき、コンソールの使用における多様化を図ることができる。
【０００９】
また、スライドプレートの使用状態において二つの態様が設定されていることにより、物入れ部の上面側にある複数のスペースを選択的にドリンクホルダー用に変更でき、物入れ部を使用するときのバリエーションがさらに拡がる。
【図面の簡単な説明】
【００１０】
【図１】コンソールの外観斜視図である。
【図２】各スライドプレートの外観斜視図である。
【図３】図１のＩＩＩ−ＩＩＩ矢視方向の断面図である。
【図４】図１のＩＶ−ＩＶ矢視方向の断面図である。
【図５】各スライドプレートの格納状態を表した上面図である。
【図６】回転プレートを回転操作する様子を表した上面図である。
【図７】回転プレートの回転操作後の状態を表した上面図である。
【図８】各スライドプレートの第１使用状態を表した上面図である。
【図９】各スライドプレートの第１使用状態を図３との対応によって表した断面図である。
【図１０】各スライドプレートの第２使用状態を表した上面図である。
【図１１】各スライドプレートの第２使用状態を図３との対応によって表した断面図である。
【発明を実施するための形態】
【００１１】
以下、本発明を実施するための形態を、図面を用いて説明する。
コンソール１は、主として自動車の車室内に設置して使用される。図１に示すように、コンソール１は、容器ホルダー１０と物入れ部２０とを備えている。容器ホルダー１０と物入れ部２０とは互いに隣接して配置され、共に、上に開放されている。
コンソール１は、第１スライドプレート４０と第２スライドプレート５０（図２参照）とを備えている。
【００１２】
図３に示すように、容器ホルダー１０は、上方から容れられる飲料容器を受け入れることができる孔形状に構成されている。容器ホルダー１０の上面は、容器の胴部を外側から支持するための開口部１０ｂを備えた上面プレート１０ａによって構成されている。開口部１０ｂは円形状に構成されている（図５参照）。
図３に示すように、容器ホルダー１０における上面プレート１０ａの下部は、内側を空間とされた格納部１０ｃとなっている。格納部１０ｃは、各スライドプレート４０，５０を重ね合わせた状態で格納することができる寸法に設定されている。格納部１０ｃは物入れ部２０側に開口され、物入れ部２０と通じている。
【００１３】
物入れ部２０は、直方体状に構成され、図３および５の左右方向に延びている。物入れ部２０は、その上面側において各スライドプレート４０，５０を個々に受け入れることができる寸法に設定されている（図１０参照）。
図５に示すように、物入れ部２０の両側では、物入れ部２０の長手方向の略中央を境として、容器ホルダー１０から遠い側の内壁が、容器ホルダー１０に近い側の内壁よりも所定寸法だけ内方に張り出している。容器ホルダー１０に近い側の内壁には、該内壁に添わせて回転プレート２２が設けられている。回転プレート２２の一端側は、物入れ部２０の幅が広がった位置で物入れ部２０の内方側へ回転可能に支持されている（図６参照）。回転プレート２２は、物入れ部２０における容器ホルダー１０に近い側の両側間に相当する寸法に設定されている（図７参照）。そのため、回転プレート２２を回転操作した場合、回転プレート２２の自由端側は、物入れ部２０における回転の支点となる側部と反対側の側部において、内方に張り出した内壁によって受け止められる。
【００１４】
図４に示すように、物入れ部２０の上面側の両側には、各スライドプレート４０，５０をスライド可能に支持するためのレール３１，３２が設けられている。各レール３１，３２は、異なる所定高さで容器ホルダー１０の格納部１０ｃから物入れ部２０に直線的に延びている（図３，９，１１参照）。各レール３１，３２は、容器ホルダー１０および物入れ部２０の内方に開放された凹形状に構成されている。
【００１５】
各スライドプレート４０，５０は略同じ寸法に設定されている（図２参照）。各スライドプレート４０，５０の両側は、所定の厚み分を前後に切り欠くことによって形成された凸部４０ａ，５０ａとなっている。各凸部４０ａ，５０ａは、容器ホルダー１０および物入れ部２０の両側の各レール３１，３２に嵌めこまれている（図４参照）。これにより、各スライドプレート４０，５０は、容器ホルダー１０側もしくは物入れ部２０側へスライド操作することができる。
各スライドプレート４０，５０は、容器ホルダー１０側へのスライドによって図１，３，５に示す格納状態とすることができる。また、各スライドプレート４０，５０は、物入れ部２０側へのスライドによって図８，９に示す第１使用状態もしくは図１０，１１に示す第２使用状態とすることができる。
【００１６】
各スライドプレート４０，５０には、容器の胴部を外側から支持するための開口部４０ｂ，５０ｂが設けられている（図２参照）。各開口部４０ｂ，５０ｂは、容器ホルダー１０の開口部１０ｂと同じ寸法の円形状に構成されている。図１，３，５に示すように、格納状態にある各スライドプレート４０，５０の開口部４０ｂ，５０ｂは容器ホルダー１０の開口部１０ｂと相互に重合して一致している。そのため、各スライドプレート４０，５０の格納状態において、容器ホルダー１０は断面が円形状の容器に対応したドリンクホルダーとして機能する。
図８乃至１１に示すように、各使用状態にある各スライドプレート４０，５０の開口部４０ｂ，５０ｂは、物入れ部２０に容器を入れたときに、その容器の胴部を外側から支持可能な位置にある。そのため、各使用状態にある各スライドプレート４０，５０は、物入れ部２０で容器ホルダー１０と同様に機能する。なお、第１使用状態では、各スライドプレート４０，５０が物入れ部２０における容器ホルダー１０に近い側のスペースに位置している（図８，９参照）。そして、各スライドプレート４０，５０の開口部４０ｂ，５０ｂは相互に重合して一致している。第２使用状態では、第１スライドプレート４０が物入れ部２０における容器ホルダー１０に近い側のスペースに、第２スライドプレート５０が容器ホルダー１０から遠い側のスペースに位置し、各開口部４０ｂ，５０ｂが互いに離れている（図１０，１１参照）。
なお、図８乃至１１に示す各使用状態においても、容器ホルダー１０はドリンクホルダーとして機能する。
【００１７】
各スライドプレート４０，５０における物入れ部２０側の端部には、上方に突出した取手部４０ｃ，５０ｃが設けられている（図２参照）。各取手部４０ｃ，５０ｃは、各スライドプレート４０，５０が格納状態とされたときに、容器ホルダー１０の上面プレート１０ａに対して物入れ部２０側から同時に接触可能となるように構成されている（図５参照）。
図２に示すように、第１スライドプレート４０の取手部４０ｃは、端面４０ｄの外側に形成されている。第２スライドプレート５０の取手部５０ｃは、上面の端部に形成されている。そして、各スライドプレート４０，５０の取手部４０ｃ，５０ｃは、互いに相反する側部側に形成されている。これにより、格納状態にある各スライドプレート４０，５０の取手部４０ｃ，５０ｃが互いに隣り合うこととなる（図５参照）。このとき、第２スライドプレート５０の取手部５０ｃは第１スライドプレート４０の端面４０ｄと接触している（図３参照）。
図３に示すように、第１スライドプレート４０の取手部４０ｃの上端は、容器ホルダー１０の上面プレート１０ａよりも上方に位置している。また、第２スライドプレート５０の取手部５０ｃの上端は、容器ホルダー１０の上面プレート１０ａと同じ高さに位置している。そのため、格納状態にある各スライドプレート４０，５０は、容器ホルダー１０側にスライド操作することが防止されている。また、格納状態にある第２スライドプレート５０は、その取手部５０ｃに対して容器ホルダー１０側から触れることが防止されている。
なお、第２スライドプレート５０の取手部５０ｃの上端は、第１スライドプレート４０の上面よりも上方に位置している（図３，４参照）。そのため、各スライドプレート４０，５０を容器ホルダー１０の上面プレート１０ａから離すと、第２スライドプレート５０の取手部５０ｃに対して容器ホルダー１０側から触れることができる。
【００１８】
コンソール１の使用方法を説明する。
各スライドプレート４０，５０の格納状態（図１，３，５）において、回転プレート２２を回転させると、物入れ部２０が容器ホルダー１０に近い側のスペースと容器ホルダー１０から遠い側のスペースとに２分割される（図６，７参照）。各スペースは小型の物入れとしても、断面が四角形状の容器に対応したドリンクホルダーとしても機能する。
つづいて、第１スライドプレート４０の取手部４０ｃを摘み、第１スライドプレート４０を物入れ部２０における容器ホルダー１０に近い側のスペースへスライドさせると、各スライドプレート４０，５０を第１使用状態とすることができる（図８，９参照）。このスライド操作において、第２スライドプレート５０は、その取手部５０ｃが第１スライドプレート４０の端面４０ｄによって物入れ部２０側へ押される（図９参照）。このため、各スライドプレート４０，５０は、開口部４０ｂ，５０ｂが相互に重合して一致した状態で同期してスライドする。
つづいて、第２スライドプレート５０の取手部５０ｃを摘み、第２スライドプレート５０を物入れ部２０における容器ホルダー１０から遠い側のスペースにスライドさせると、各スライドプレート４０，５０を第２使用状態とすることができる（図１０，１１参照）。このスライド操作では、第１スライドプレート４０が物入れ部２０における容器ホルダー１０に近い側のスペースに残り、第２スライドプレート５０のみがスライドする。
【００１９】
第２使用状態（図１０，１１参照）にある第２スライドプレート５０の取手部５０ｃをつまみ、物入れ部２０における容器ホルダー１０に近い側のスペースに第２スライドプレート５０をスライドさせることで、各スライドプレート４０，５０を第１使用状態に戻すことができる（図８，９参照）。この状態から、さらに第２スライドプレート５０を容器ホルダー１０側にスライドさせることで、各スライドプレート４０，５０を格納状態とすることができる（図１，３，５参照）。なお、第１スライドプレート４０は、その端面４０ｄを第２スライドプレート５０の取手部５０ｃによって押されることで、第２スライドプレート５０と同期してスライドする。
回転プレート２２を、その回転の支点となる内壁側に回転操作することで、物入れ部２０を、それ全体を一つとした物入れへと戻すことができる。
なお、各スライドプレート４０，５０の第２使用状態（図１０，１１参照）において、第１スライドプレート４０の取手部４０ｃを摘んで容器ホルダー１０側へ第１スライドプレート４０をスライドさせることで、第１スライドプレート４０のみを格納状態とすることもできる。
【００２０】
本発明では、各スライドプレート４０，５０の格納状態においても、この容器ホルダー１０の機能を維持し得る構成としたことにより、各スライドプレート４０，５０を格納するための専用スペースを確保する必要がなく、コンソール１の大型化を回避することができる。そして、各スライドプレート４０，５０の使用状態では、この物入れ部２０に容器ホルダー１０と同様の機能をもたせることにより、該物入れ部２０を本来の物入れ用またはドリンクホルダー用へと自在に変更でき、コンソール１の使用における多様化を図ることができる。
また、各スライドプレート４０，５０に２つの使用状態が設定されていることにより、物入れ部２０における容器ホルダー１０に近い側のスペースと容器ホルダー１０から遠い側のスペースとを選択的にドリンクホルダー用に変更でき、物入れ部２０を使用するときのバリエーションがさらに拡がる。
図９に示すように、回転プレート２２によって、第１使用状態にある各スライドプレート４０，５０の取手部４０ｃ，５０ｃの位置で物入れ部２０が仕切られる構成としたことにより、物入れ部２０を同時に物入れ用およびドリンクホルダー用として使用することもできる。
【００２１】
以上は本発明を実施するための最良の形態を図面に関連して説明したが、この実施の形態は本発明の趣旨から逸脱しない範囲で容易に変更または変形できるものである。
例えば、各スライドプレート４０，５０の開口部４０ｂ，５０ｂおよび容器ホルダー１０の開口部１０ｂは、保持される容器の形状に合わせた形状（例えば、四角形状）に変更することができる。
また、各スライドプレート４０，５０の格納状態および各使用状態において、容器ホルダー１０および各スライドプレート４０，５０を、ドリンクホルダーとしてのみならず、小物等を保持する機能部材として使用することもできる。
コンソール１において、スライドプレートを３枚以上備える構成とすることもできる。この場合、物入れ部２０は、その上面側ですべてのスライドプレートを個々に受け入れることができる寸法に設定される。
また、コンソール１は、その設計上においては、各スライドプレート４０，５０のスライドコースが屈曲したものとなるように物入れ部２０の形状や向きを変更することもできる。
コンソール１に限らず物入れ部と容器ホルダーとが互いに隣接して配置されている部材であれば、どのような部材であってもそれにスライドプレートを設置することで、物入れ部を本来の物入れ用またはドリンクホルダー用へと自在に変更して使用することができる。
【符号の説明】
【００２２】
１     コンソール
１０   容器ホルダー
１０ｂ 開口部
２０   物入れ部
４０   第１スライドプレート
４０ｂ 開口部
５０   第２スライドプレート
５０ｂ 開口部
【図１】
2015009665.tif 000003
【図２】
2015009665.tif 000004
【図３】
2015009665.tif 000005
【図４】
2015009665.tif 000006
【図５】
2015009665.tif 000007
【図６】
2015009665.tif 000008
【図７】
2015009665.tif 000009
【図８】
2015009665.tif 000010
【図９】
2015009665.tif 000011
【図１０】
2015009665.tif 000012
【図１１】
2015009665.tif 000013